(57)【特許請求の範囲】
【請求項１】
顔の主要な構成部に係り、第１の特有の表現が施されてなる複数の第１部分画像を用いて、第１似顔絵画像を生成する第１画像生成手段と、
前記第１似顔絵画像の生成後に、前記第１の特有の表現とは異なる第２の特有の表現を指定する指定手段と、
前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段と、
前記特定手段により特定された第２部分画像を用いて、前記第２の特有の表現がなされた第２似顔絵画像を生成する第２画像生成手段と、
を備えたことを特徴とする画像生成装置。
【請求項２】
前記特定手段は、
前記複数の第２部分画像の中で、前記第１似顔絵画像の生成に用いられた第１部分画像と同じモデルの顔の主要な構成部が描写されてなる第２部分画像を特定することを特徴とする請求項１に記載の画像生成装置。
【請求項３】
前記第１部分画像及び前記第２部分画像の各々は、モデルとなった人物を識別する識別情報が対応付けられてなり、
前記特定手段は、前記識別情報に基づいて前記第２部分画像を特定することを特徴とする請求項１又は２に記載の画像生成装置。
【請求項４】
前記第１の特有の表現が施されてなる複数の第１部分画像をその特徴情報と対応付けて記憶する第１記憶手段と、
前記第１記憶手段に記憶されている前記複数の第１部分画像の中から、前記第１似顔絵画像の生成に用いられる第１部分画像を選別するためのキーワードを入力する入力手段と、を更に備え、
前記第１画像生成手段は、
前記複数の第１部分画像の中から、前記入力手段により入力されたキーワードと関連する前記特徴情報に基づいて第１部分画像を選別し、選別された第１部分画像を用いて前記第１似顔絵画像を生成することを特徴とする請求項１〜３の何れか一項に記載の画像生成装置。
【請求項５】
前記第２の特有の表現が施されてなる複数の第２部分画像をその特徴情報と対応付けて記憶する第２記憶手段を更に備え、
前記特定手段は、
前記複数の第２部分画像の中で、前記入力手段により入力されたキーワードと関連する前記特徴情報と対応付けられている第２部分画像を特定することを特徴とする請求項４に記載の画像生成装置。
【請求項６】
前記第２部分画像と対応付けられている前記特徴情報は、その内容に応じて優先度が重み付けされてなり、
前記特定手段は、
前記複数の第２部分画像の中で、前記入力手段により入力されたキーワードと関連する前記特徴情報と対応付けられている第２部分画像を所定数特定し、特定された所定数の第２部分画像について前記特徴情報に重み付けされた優先度を基準として、前記第２似顔絵画像の生成に用いられる第２部分画像を特定することを特徴とする請求項５に記載の画像生成装置。
【請求項７】
前記第１の特有の表現は、第１の似顔絵作者特有の表現であり、
前記第２の特有の表現は、第２の似顔絵作者特有の表現であることを特徴とする請求項１〜６の何れか一項に記載の画像生成装置。
【請求項８】
画像生成装置を用いた画像生成方法であって、
顔の主要な構成部に係り、第１の特有の表現が施されてなる複数の第１部分画像を用いて、第１似顔絵画像を生成するステップと、
前記第１似顔絵画像の生成後に、前記第１の特有の表現とは異なる第２の特有の表現を指定するステップと、
指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定するステップと、
特定された第２部分画像を用いて、前記第２の特有の表現がなされた第２似顔絵画像を生成するステップと、
を含むことを特徴とする画像生成方法。
【請求項９】
画像生成装置のコンピュータを、
顔の主要な構成部に係り、第１の特有の表現が施されてなる複数の第１部分画像を用いて、第１似顔絵画像を生成する第１画像生成手段、
前記第１似顔絵画像の生成後に、前記第１の特有の表現とは異なる第２の特有の表現を指定する指定手段、
前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段、
前記特定手段により特定された第２部分画像を用いて、前記第２の特有の表現がなされた第２似顔絵画像を生成する第２画像生成手段、
として機能させることを特徴とするプログラム。
【発明の詳細な説明】
【技術分野】
【０００１】
本発明は、画像生成装置、画像生成方法及びプログラムに関する。
【背景技術】
【０００２】
従来、目、鼻、口、耳、顔輪郭等の顔部品の特徴点を用いて似顔絵を作成する似顔絵作成装置が知られている（例えば、特許文献１参照）。
また、各部位ごとに予め用意されているパーツオブジェクトを組み合わせてキャラクタを作成するゲーム装置が知られている（例えば、特許文献２参照）。
【先行技術文献】
【特許文献】
【０００３】
【特許文献１】特開２００４−１４５６２５号公報
【特許文献２】特開２００８−６１８９６号公報
【発明の概要】
【発明が解決しようとする課題】
【０００４】
ところで、一の似顔絵作者特有の表現がなされた似顔絵画像を生成する場合、当該似顔絵作者特有の表現が施されてなる顔の構成部の部分画像を複数用意しておき、各構成部についてユーザ所望の部分画像を一つずつ指定するようになっている。しかしながら、その後に他の似顔絵作者特有の表現がなされた似顔絵画像を生成したい場合にも、上記と同様の処理を再度行わなければならず、その作業が煩雑であるといった問題がある。
【０００５】
本発明の課題は、第１の特有の表現とは異なる第２の特有の表現がなされた似顔絵画像を容易に生成することができる画像生成装置、画像生成方法及びプログラムを提供することである。
【課題を解決するための手段】
【０００６】
上記課題を解決するため、本発明に係る画像生成装置は、
顔の主要な構成部に係り、第１の特有の表現が施されてなる複数の第１部分画像を用いて、第１似顔絵画像を生成する第１画像生成手段と、前記第１似顔絵画像の生成後に、前記第１の特有の表現とは異なる第２の特有の表現を指定する指定手段と、前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段と、前記特定手段により特定された第２部分画像を用いて、前記第２の特有の表現がなされた第２似顔絵画像を生成する第２画像生成手段と、を備えたことを特徴としている。
【０００７】
また、本発明に係る画像生成方法は、
画像生成装置を用いた画像生成方法であって、顔の主要な構成部に係り、第１の特有の表現が施されてなる複数の第１部分画像を用いて、第１似顔絵画像を生成するステップと、前記第１似顔絵画像の生成後に、前記第１の特有の表現とは異なる第２の特有の表現を指定するステップと、指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定するステップと、特定された第２部分画像を用いて、前記第２の特有の表現がなされた第２似顔絵画像を生成するステップと、を含むことを特徴としている。
【０００８】
また、本発明に係るプログラムは、
画像生成装置のコンピュータを、顔の主要な構成部に係り、第１の特有の表現が施されてなる複数の第１部分画像を用いて、第１似顔絵画像を生成する第１画像生成手段、前記第１似顔絵画像の生成後に、前記第１の特有の表現とは異なる第２の特有の表現を指定する指定手段、前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段、前記特定手段により特定された第２部分画像を用いて、前記第２の特有の表現がなされた第２似顔絵画像を生成する第２画像生成手段、として機能させることを特徴としている。
【発明の効果】
【０００９】
本発明によれば、第１の特有の表現とは異なる第２の特有の表現がなされた似顔絵画像を容易に生成することができる。
【図面の簡単な説明】
【００１０】
【図１】本発明を適用した実施形態１の撮像装置の概略構成を示すブロック図である。
【図２】二人の似顔絵作者により作成された似顔絵画像を模式的に表す図である。
【図３】図１の撮像装置に記憶されている部分画像のデータ構成の一例を模式的に表す図である。
【図４】図１の撮像装置による似顔絵画像生成処理に係る動作の一例を示すフローチャートである。
【図５】本発明を適用した実施形態２の撮像装置の概略構成を示すブロック図である。
【図６】図５の撮像装置に記憶されている重み付けテーブルの一例を模式的に表す図である。
【図７】図５の撮像装置による似顔絵画像生成処理に係る動作の一例を示すフローチャートである。
【発明を実施するための形態】
【００１１】
以下に、本発明について、図面を用いて具体的な態様を説明する。ただし、発明の範囲は、図示例に限定されない。
【００１２】
［実施形態１］
図１は、本発明を適用した実施形態１の撮像装置１００の概略構成を示すブロック図である。
図１に示すように、実施形態１の撮像装置１００は、具体的には、中央制御部１と、メモリ２と、撮像部３と、画像データ生成部４と、画像処理部５と、表示部６と、操作入力部７と、記憶部８と、似顔絵処理部９とを備えている。
また、中央制御部１、メモリ２、撮像部３、画像データ生成部４、画像処理部５、表示部６、操作入力部７、記憶部８及び似顔絵処理部９は、バスライン１０を介して接続されている。
【００１３】
なお、撮像装置１００は、公知のものを適用可能であり、本実施形態のように、撮像機能を主要な機能とするデジタルカメラだけでなく、主要な機能としないものの撮像機能を具備する携帯電話機、スマートフォン等の携帯端末なども含む。
【００１４】
中央制御部１は、撮像装置１００の各部を制御するものである。具体的には、中央制御部１は、図示は省略するが、ＣＰＵ（Central Processing Unit）、ＲＡＭ（Random Access Memory）、ＲＯＭ（Read Only Memory）を備え、撮像装置１００用の各種処理プログラム（図示略）に従って各種の制御動作を行う。
【００１５】
メモリ２は、例えば、ＤＲＡＭ（Dynamic Random Access Memory）等により構成され、中央制御部１や画像処理部５等の各部によって処理されるデータ等を一時的に格納する。
【００１６】
撮像部３は、被写体の動画像を撮像する。具体的には、撮像部３は、レンズ部３ａと、電子撮像部３ｂと、撮像制御部３ｃとを備えている。
【００１７】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-oxide Semiconductor）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１８】
撮像制御部３ｃは、撮像部３による被写体の撮像を制御する。すなわち、撮像制御部３ｃは、図示は省略するが、タイミング発生器、ドライバなどを備えている。そして、撮像制御部３ｃは、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部４に出力させる。
なお、撮像制御部３ｃは、ＡＦ（自動合焦処理）、ＡＥ（自動露出処理）、ＡＷＢ（自動ホワイトバランス）等の被写体を撮像する際の条件の調整制御を行っても良い。
【００１９】
画像データ生成部４は、撮像部３の電子撮像部３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。また、画像データ生成部４は、生成された輝度信号Ｙ及び色差信号Ｃｂ，Ｃｒをバッファメモリとして使用されるメモリ２に出力する。
【００２０】
画像処理部５は、画像を記憶する際には、メモリ２から輝度信号Ｙ及び色差信号Ｃｂ，Ｃｒを取得し、所定の符号化方式（例えば、ＪＰＥＧ形式、モーションＪＰＥＧ形式、ＭＰＥＧ形式等）で符号化して記憶部８に出力する。
また、画像処理部５は、画像を再生表示する場合には、メモリ２や記憶部８から読み出された表示対象に係る静止画像や動画像の画像データを対応する所定の符号化方式に従って復号して表示部６に出力する。このとき、画像処理部５は、例えば、表示パネル６ｂの表示解像度等に基づいて所定サイズ（例えば、ＶＧＡやＱＶＧＡサイズ）に縮小して表示部６に出力しても良い。
【００２１】
表示部６は、表示制御部６ａと、表示パネル６ｂとを具備している。
【００２２】
表示制御部６ａは、記憶部８から読み出され画像処理部５により復号された所定サイズの画像データに基づいて、所定の画像を表示パネル６ｂの表示領域に表示させる制御を行う。具体的には、表示制御部６ａは、ＶＲＡＭ（Video Random Access Memory）、ＶＲＡＭコントローラ、デジタルビデオエンコーダなどを備えている。そして、デジタルビデオエンコーダは、画像処理部５により復号されてＶＲＡＭ（図示略）に記憶されている輝度信号Ｙ及び色差信号Ｃｂ，Ｃｒを、ＶＲＡＭコントローラを介してＶＲＡＭから所定の再生フレームレートで読み出して、これらのデータを元にビデオ信号を発生して表示パネル６ｂに出力する。
【００２３】
表示パネル６ｂは、表示制御部６ａからのビデオ信号に基づいて撮像部３により撮像された画像（例えば、顔画像Ａ等）などを表示領域内に表示する。具体的には、表示パネル６ｂは、静止画撮像モードや動画撮像モードにて、撮像部３による被写体の撮像により生成された複数のフレーム画像を所定のフレームレートで逐次更新しながらライブビュー画像を表示する。また、表示パネル６ｂは、記憶部８に記憶される被写体の静止画像（レックビュー画像）を表示したり、撮像中の被写体の動画像を表示する。
なお、表示パネル６ｂとしては、例えば、液晶表示パネルや有機ＥＬ（Electro-Luminescence）表示パネルなどが挙げられるが、一例であってこれらに限られるものではない。
【００２４】
操作入力部７は、当該撮像装置１００の所定操作を行うためのものである。具体的には、操作入力部７は、被写体の撮像指示に係るシャッタボタン、撮像モードや機能等の選択指示に係る選択決定ボタン、ズーム量の調整指示に係るズームボタン等（何れも図示略）の操作部を備えている。
そして、ユーザにより各種ボタンが操作されると、操作入力部７は、操作されたボタンに応じた操作指示を中央制御部１に出力する。中央制御部１は、操作入力部７から出力され入力された操作指示に従って所定の動作（例えば、被写体の撮像等）を各部に実行させる。
【００２５】
記憶部８は、例えば、不揮発性メモリ（フラッシュメモリ）等により構成され、画像処理部５により所定の符号化方式で符号化された静止画像や動画像の記憶用の画像データを記憶する。
【００２６】
また、記憶部８は、部分画像８ａを記憶している。
すなわち、記憶部８は、各似顔絵作者特有の表現（例えば、タッチや形状等）が表された顔の主要な構成部の部分画像８ａを複数記憶している。
ここで、似顔絵作者とは、似顔絵を作成する者であれば如何なる者であっても良く、例えば、著名なイラストレーターや漫画家であっても良いし、一般的なユーザ等の素人であっても良い。また、似顔絵作者毎に、似顔絵画像に似顔絵作者の個性（特有の表現）が表れる。例えば、二人の似顔絵作者甲、乙が、図２（ａ）及び図２（ｂ）の画像を元画像としてそれぞれ似顔絵画像を作成する場合、似顔絵作者甲が作成した二つの似顔絵画像（図２（ｃ）及び図２（ｄ）参照）と、似顔絵作者乙が作成した二つの似顔絵画像（図２（ｅ）及び図２（ｆ）参照）とで作風や視認者の印象が異なる。具体的には、目、鼻、口、眉、顔輪郭、髪型等の顔の主要な構成部毎の形状（例えば、位置、大きさ、角度等）や、描画する線の太さ等が、似顔絵作者毎に異なる。
【００２７】
部分画像８ａは、各似顔絵作者が描画した複数の似顔絵画像の各々から抽出された、例えば、目、鼻、口、眉、顔輪郭、髪型等の顔の主要な構成部に係るデータである。例えば、各似顔絵作者により描画された複数の似顔絵画像（図２（ｃ）及び図２（ｄ）等参照）から、各構成部毎に複数の部分画像８ａ、…が抽出されたものであっても良い。
また、部分画像８ａの各々には、当該部分画像８ａのモデルとなった人物（例えば、モデルＡ〜モデルＩ等）を識別する識別情報と、後述する似顔絵画像生成処理にて用いられる特徴情報が対応付けられている（図３参照）。
特徴情報は、各部分画像８ａの特徴を表す情報であり、ユーザによる操作入力部７の所定操作に基づいて入力されて設定されても良いし、複数の部分画像８ａ、…を正規化して算出された平均部分画像と比較することで自動的に設定されても良い。具体的には、特徴情報としては、例えば、構成部が鼻の場合、高い、低い、丸い、大きい、小さい等が挙げられる。
このように、記憶部８は、第１の特有の表現が施されてなる複数の第１部分画像をその特徴情報と対応付けて記憶する第１記憶手段や、第２の特有の表現が施されてなる複数の第２部分画像をその特徴情報と対応付けて記憶する第２記憶手段を構成している。
なお、図３に例示した特徴情報は、一例であってこれに限られるものではなく、適宜任意に変更可能である。
【００２８】
また、記憶部８は、例えば、記憶媒体（図示略）が着脱自在に構成され、装着された記憶媒体からのデータの読み出しや記憶媒体に対するデータの書き込みを制御する構成であっても良い。
【００２９】
似顔絵処理部９は、第１画像生成部９ａと、作者指定部９ｂと、第１部分特定部９ｃと、第２画像生成部９ｄとを具備している。
なお、似顔絵処理部９の各部は、例えば、所定のロジック回路から構成されているが、当該構成は一例であってこれに限られるものではない。
【００３０】
第１画像生成部９ａは、一の似顔絵作者特有の表現がなされた第１似顔絵画像を生成する。
すなわち、第１画像生成部（第１画像生成手段）９ａは、第１の特有の表現が施されてなる第１部分画像を用いて、第１似顔絵画像を生成する。具体的には、ユーザによる操作入力部（入力手段）７の所定操作に基づいて、記憶部８に記憶されている一の似顔絵作者（例えば、似顔絵作者甲等）に対応する複数の第１部分画像の中から、第１似顔絵画像の生成に用いられる第１部分画像を選別するためのキーワードが入力されると、第１画像生成部９ａは、入力されたキーワードと関連する特徴情報に基づいて第１部分画像を選別し、選別された第１部分画像を用いて第１似顔絵画像を生成する。
例えば、構成部が鼻の場合に、キーワードとして「高い」等が入力されると、第１画像生成部９ａは、入力されたキーワードである「高い」が特徴情報として対応付けられている第１部分画像を選別する。そして、第１画像生成部９ａは、選別された第１部分画像の中から、ユーザによる操作入力部７の所定操作に基づいて指定された第１部分画像を所定位置に配置する。
このとき、第１画像生成部９ａは、撮像部３により撮像された被写体の顔の静止画像を取得して、当該静止画像から例えば、ＡＡＭ（Active Appearance Model）等を用いて検出された顔の主要な構成部の各々の位置を基準として、第１部分画像を配置するようにしても良い。ここで、第１画像生成部９ａは、例えば、第１部分画像を各構成部と重なるように所定の変形処理（例えば、回転、拡大、縮小等）により変形させた後、配置するようにしても良い。さらに、撮像部３により動画像が撮像されていた場合には、動画像を構成する各フレーム画像の画像データに対して所定の顔検出処理を行って顔領域を検出し、検出された顔領域に対して所定の笑顔検出処理を行って、所定の演算により算出された笑顔の評価値が最も高い顔領域を含む一のフレーム画像を特定して、その後の処理に利用するようにしても良い。
そして、第１画像生成部９ａは、上記の処理を各構成部について繰り返し行うことで、一の似顔絵作者特有の表現がなされた第１似顔絵画像を生成する。
【００３１】
なお、被写体の顔の画像から顔の主要な構成部を検出する処理や顔検出処理、笑顔検出処理は、公知の技術であるので、ここでは詳細な説明を省略する。
また、上記した第１似顔絵画像を生成する処理は、一例であってこれに限られるものではなく、適宜任意に変更可能である。
【００３２】
作者指定部９ｂは、他の似顔絵作者を指定する。
すなわち、作者指定部９ｂは、一の似顔絵作者と異なる他の似顔絵作者を指定する。具体的には、一の似顔絵作者（例えば、似顔絵作者甲等）特有の表現がなされた第１似顔絵画像が生成された後、他の似顔絵作者（例えば、似顔絵作者乙等）特有の表現がなされた第２似顔絵画像を生成したい場合に、ユーザによる操作入力部７の所定操作に基づいて中央制御部１から他の似顔絵作者を指定する指示が入力されると、作者指定部９ｂは、入力された指示に対応する他の似顔絵作者を指定する。
このように、作者指定部（指定手段）９ｂは、第１似顔絵画像の生成後に、第１の特有の表現とは異なる第２の特有の表現を指定する。
【００３３】
第１部分特定部９ｃは、第２部分画像を顔の主要な構成部毎に特定する。
すなわち、第１部分特定部（特定手段）９ｃは、指定された第２の特有の表現が施されてなる複数の第２部分画像の中から、第１似顔絵画像の生成に用いられた複数の第１部分画像それぞれと同一の特徴を有した第２部分画像を顔の主要な構成部毎に特定する。具体的には、第１部分特定部９ｃは、第１似顔絵画像の生成に用いられた第１部分画像の識別情報を参照して、第１部分画像の元となった人物（例えば、モデルＡ等）を特定する。そして、第１部分特定部９ｃは、記憶部８に記憶されている指定された他の似顔絵作者に対応する複数の第２部分画像の中で、第１部分画像と同じモデル（例えば、モデルＡ等）が識別情報に規定されている第２部分画像を特定する。これにより、第１部分特定部９ｃは、第１部分画像と同じモデルの顔の主要な構成部が描写されてなる第２部分画像、つまり、第１部分画像の元となった人物と同一の人物をモデルとして生成された第２部分画像を特定する。
【００３４】
第２画像生成部９ｄは、他の似顔絵作者特有の表現がなされた第２似顔絵画像を生成する。
すなわち、第２画像生成部（第２画像生成手段）９ｄは、第１部分特定部９ｃにより特定された第２部分画像を用いて、第２の特有の表現がなされた第２似顔絵画像を生成する。つまり、第２画像生成部９ｄは、第１部分画像の元となった人物と同一の人物をモデル（例えば、モデルＡ等）として生成された第２部分画像を用いて第２似顔絵画像を生成することで、第１似顔絵画像と第２似顔絵画像とは、似顔絵作者が異なるものの、各似顔絵画像を構成する部分画像８ａ自体のモデルは同一となる。
なお、第２似顔絵画像を生成する際の具体的な処理内容は、上記した第１似顔絵画像を生成する処理と略同様であり、ここでは詳細な説明は省略する。
【００３５】
＜似顔絵画像生成処理＞
次に、実施形態１の撮像装置１００による似顔絵画像生成処理について、図４を参照して説明する。
図４は、似顔絵画像生成処理に係る動作の一例を示すフローチャートである。
【００３６】
似顔絵画像生成処理は、ユーザによる操作入力部７の所定操作に基づいて、メニュー画面に表示された複数の動作モードの中から似顔絵画像生成モードが選択指示された場合に、中央制御部１の制御下にて当該撮像装置１００の各部、特に似顔絵処理部９により実行される処理である。
【００３７】
図４に示すように、先ず、ユーザによる操作入力部７の所定操作に基づいて中央制御部１から一の似顔絵作者（例えば、似顔絵作者甲等）を指定する指示が入力されると、作者指定部９ｂは、入力された指示に対応する一の似顔絵作者を指定する（ステップＳ１）。
次に、似顔絵処理部９は、目、鼻、口、眉、顔輪郭、髪型等の顔の主要な構成部の全てについて処理（例えば、部分画像８ａを選択する処理等）したか否かを判定する（ステップＳ２）。
【００３８】
ステップＳ２にて、顔の主要な構成部の全てについて処理していないと判定されると（ステップＳ２；ＮＯ）、似顔絵処理部９は、複数の構成部の中で、何れか一の構成部（例えば、鼻等）を指定する（ステップＳ３）。
続けて、ユーザによる操作入力部７の所定操作に基づいて、記憶部８に記憶されている一の似顔絵作者（例えば、似顔絵作者甲等）に対応する複数の第１部分画像の中から、第１似顔絵画像の生成に用いられる第１部分画像を選別するためのキーワード（例えば、「高い」等）が入力されると（ステップＳ４）、第１画像生成部９ａは、入力されたキーワードと関連する特徴情報に基づいて第１部分画像を選別する（ステップＳ５）。その後、表示制御部６ａは、選別された第１部分画像の画像データを取得して、表示パネル６ｂの表示領域に表示させる。
そして、第１画像生成部９ａは、表示パネル６ｂに表示された第１部分画像の中から、ユーザによる操作入力部７の所定操作に基づいてユーザ所望の第１部分画像が指定されると、指定された第１部分画像を所定位置に配置する（ステップＳ６）。例えば、第１画像生成部９ａは、予め似顔絵画像の生成に係るヒトの顔の静止画像を取得していた場合には、当該静止画像から検出された処理対象に係る構成部の位置を基準として、対応する第１部分画像を配置する。
【００３９】
その後、似顔絵処理部９は、処理をステップＳ２に戻し、顔の主要な構成部の全てについて処理したか否かを判定する（ステップＳ２）。
上記の各処理は、ステップＳ２にて、顔の主要な構成部の全てについて処理したと判定（ステップＳ２；ＹＥＳ）されるまで、繰り返し実行される。
【００４０】
ステップＳ２にて、顔の主要な構成部の全てについて処理したと判定されると（ステップＳ２；ＹＥＳ）、表示制御部６ａは、第１部分画像を用いて生成された一の似顔絵作者特有の表現がなされた第１似顔絵画像の画像データを取得して、表示パネル６ｂの表示領域に表示させる（ステップＳ７）。
【００４１】
次に、作者指定部９ｂは、ユーザによる操作入力部７の所定操作に基づいて中央制御部１から似顔絵作者を他の似顔絵作者（例えば、似顔絵作者乙等）に変更する指示が入力されたか否かを判定する（ステップＳ８）。
ここで、他の似顔絵作者に変更する指示が入力されたと判定されると（ステップＳ８；ＹＥＳ）、第１部分特定部９ｃは、記憶部８に記憶されている他の似顔絵作者に対応する複数の第２部分画像の中で、第１似顔絵画像の生成に用いられた第１部分画像の元となった人物と同一の人物をモデル（例えば、モデルＡ等）として生成された第２部分画像を顔の主要な構成部毎に特定する（ステップＳ９）。
そして、第２画像生成部９ｄは、第１部分特定部９ｃにより顔の主要な構成部毎に特定された第２部分画像を所定位置に配置する（ステップＳ１０）。続けて、表示制御部６ａは、第２部分画像を用いて生成された他の似顔絵作者特有の表現がなされた第２似顔絵画像の画像データを取得して、表示パネル６ｂの表示領域に表示させる（ステップＳ１１）。
【００４２】
その後、似顔絵処理部９は、ユーザによる操作入力部７の所定操作に基づいて中央制御部１から当該似顔絵画像生成処理を終了する指示が入力されたか否かを判定する（ステップＳ１２）。
また、ステップＳ８にて、他の似顔絵作者に変更する指示が入力されていないと判定された場合にも（ステップＳ８；ＮＯ）、似顔絵処理部９は、処理をステップＳ１２に移行し、当該似顔絵画像生成処理を終了する指示が入力されたか否かを判定する。
ステップＳ１２にて、似顔絵画像生成処理を終了する指示が入力されていないと判定されると（ステップＳ１２；ＮＯ）、似顔絵処理部９は、処理をステップＳ８に戻し、それ以降の各処理を実行する。すなわち、ステップＳ８にて、似顔絵作者をさらに他の似顔絵作者に変更する指示が入力されると（ステップＳ８；ＹＥＳ）、上記した処理と同様の処理が行なわれ、変更された新たな似顔絵作者特有の表現がなされた似顔絵画像が生成される。
【００４３】
一方、ステップＳ１２にて、似顔絵画像生成処理を終了する指示が入力されたと判定されると（ステップＳ１２；ＹＥＳ）、似顔絵処理部９は、当該似顔絵画像生成処理を終了する。
【００４４】
以上のように、実施形態１の撮像装置１００によれば、第１の特有の表現が施されてなる第１部分画像を用いて第１似顔絵画像を生成し、その後に、第１の特有の表現とは異なる第２の特有の表現が指定されると、指定された第２の特有の表現が施されてなる複数の第２部分画像の中から、第１似顔絵画像の生成に用いられた複数の第１部分画像それぞれと同一の特徴を有した第２部分画像を顔の主要な構成部毎に特定し、特定された第２部分画像を用いて第２似顔絵画像を生成するので、一の似顔絵作者特有の表現がなされた第１似顔絵画像を生成後、他の似顔絵作者特有の表現がなされた似顔絵画像を生成したい場合に、第１似顔絵画像の生成に用いられた第１部分画像それぞれと同一の特徴を有した第２部分画像を顔の主要な構成部毎に特定することで、特定された第２部分画像を用いて他の似顔絵作者特有の表現（第１の特有の表現とは異なる第２の特有の表現）がなされた第２似顔絵画像を容易に生成することができる。
【００４５】
また、例えば、第１部分画像及び第２部分画像の各々を、モデルとなった人物を識別する識別情報と対応付けておき、複数の第２部分画像の中で、第１似顔絵画像の生成に用いられた第１部分画像と同じモデルの顔の主要な構成部が描写されてなる第２部分画像を特定するので、似顔絵作者が異なるものの、各似顔絵画像を構成する部分画像８ａ自体のモデルが同一となり、各部分画像８ａから視認者が受ける印象を親和性の高いものとすることができる。
【００４６】
また、記憶部８に記憶されている複数の第１部分画像の中から、ユーザによる操作入力部７の所定操作に基づいて入力されたキーワードと関連する特徴情報に基づいて第１部分画像を選別し、選別された第１部分画像を用いて第１似顔絵画像を生成するので、記憶部８に複数の第１部分画像が記憶されている場合であっても、第１似顔絵画像の生成に用いられる第１部分画像を選別するためのキーワードを利用して、第１似顔絵画像を容易に生成することができる。
【００４７】
なお、上記実施形態１にあっては、キーワードを用いて、記憶部８に記憶されている複数の第１部分画像の中から、第１似顔絵画像の生成に用いられる第１部分画像を選別するようにしたが、一例であってこれに限られるものではなく、第１似顔絵画像を生成する際に、必ずしもキーワードを利用する必要はない。
【００４８】
［実施形態２］
以下に、実施形態２の撮像装置２００について、図５〜図７を参照して説明する。
図５は、本発明を適用した実施形態２の撮像装置２００の概略構成を示すブロック図である。
図５に示すように、実施形態２の撮像装置２００は、記憶部２０８と似顔絵処理部２０９の構成が異なる以外の点は、上記実施形態１の撮像装置１００と略同様であり、具体的な説明は省略する。
【００４９】
記憶部２０８は、部分画像８ａと、重み付けテーブル８ｂとを具備している。
なお、部分画像８ａの構成は、上記実施形態１の撮像装置１００と略同様であり、具体的な説明は省略する。
【００５０】
重み付けテーブル８ｂは、部分画像８ａと対応付けられている特徴情報の優先度の重み付けが規定されたテーブルである。なお、重み付けテーブル８ｂは、部分画像８ａと対応付けられている識別情報についても、その優先度の重み付けが規定されていても良い。
例えば、構成部が鼻の場合、特徴情報として、大きい、高い、低い、丸い等と重み付け度合が対応付けられている（図６参照）。また、識別情報に規定されているモデル名「モデル＊」は、同じモデルの部分画像を選択する場合の重み付け度合が規定されている（図６参照）。なお、重み付け度合は、ユーザによる操作入力部７の所定操作に基づいて入力された値に設定されても良いし、予め実験等により経験的に得られた値に設定されても良い。
なお、図６に例示した重み付けテーブル８ｂは、一例であってこれに限られるものではなく、適宜任意に変更可能である。
【００５１】
似顔絵処理部２０９は、第１画像生成部９ａと、作者指定部９ｂと、第２部分特定部９ｅと、第２画像生成部９ｄとを具備している。
なお、第１画像生成部９ａ、作者指定部９ｂ及び第２画像生成部９ｄの構成及び機能は、上記実施形態１の撮像装置１００と略同様であり、具体的な説明は省略する。
【００５２】
第２部分特定部９ｅは、第１部分特定部９ｃと同様に、第２部分画像を顔の主要な構成部毎に特定する。
すなわち、第２部分特定部９ｅは、複数の第２部分画像の中で、ユーザによる操作入力部７の所定操作に基づいて入力されたキーワードと関連する特徴情報と対応付けられている第２部分画像を特定する。具体的には、第２部分特定部９ｅは、第１画像生成部９ａによる第１似顔絵画像の生成の際に入力されたキーワードを取得して、記憶部２０８に記憶されている複数の第２部分画像の中で、キーワードと関連する特徴情報と対応付けられている第２部分画像を所定数特定する。そして、第２部分特定部９ｅは、特定された所定数の第２部分画像について特徴情報に重み付けされた優先度を基準として、第２画像生成部９ｄによる第２似顔絵画像の生成に用いられる第２部分画像を特定する。
例えば、構成部が鼻の場合に、第１似顔絵画像の生成の際にキーワードとして「高い」が入力されていると、第２部分特定部９ｅは、複数の第２部分画像の中で、特徴情報として「高い」と対応付けられている第２部分画像を所定数特定する。そして、第２部分特定部９ｅは、重み付けテーブル８ｂを参照して、特定された所定数の第２部分画像の特徴情報の優先度の重み付けを行う（例えば、特徴情報が「高い」の場合には、優先度に「0.5」の重み付け等）。このとき、第２部分特定部９ｅは、第１似顔絵画像を構成する第１部分画像の識別情報を参照して、識別情報に規定されているモデル名「モデル＊」と同じモデルの第２部分画像についても優先度の重み付けを行う（例えば、同じモデルの場合には、優先度に「1.2」の重み付け等）。また、第２部分特定部９ｅは、キーワードが複数入力されていたり、同じモデルの第２部分画像について優先度の重み付けを行う場合には、所定の演算（例えば、加算等）により複数の重み付け度合を統合して優先度を算出する（例えば、特徴情報が「高い」、且つ、同じモデルの場合には、優先度に「1.7」の重み付け等）。
そして、第２部分特定部９ｅは、所定数の第２部分画像の各々について算出された優先度を比較して、最も優先度が高いものを第２似顔絵画像の生成に用いられる第２部分画像として特定する。
【００５３】
＜似顔絵画像生成処理＞
次に、実施形態２の撮像装置２００による似顔絵画像生成処理について、図７を参照して説明する。
図７は、似顔絵画像生成処理に係る動作の一例を示すフローチャートである。
なお、以下に詳細に説明する以外の点は、上記実施形態１の似顔絵画像生成処理と略同様である。
【００５４】
図７に示すように、似顔絵処理部２０９は、上記実施形態１の似顔絵画像生成処理のステップＳ１〜Ｓ７の各処理を行うことで、一の似顔絵作者特有の表現がなされた第１似顔絵画像が生成される。
そして、ステップＳ８にて、作者指定部９ｂは、ユーザによる操作入力部７の所定操作に基づいて中央制御部１から似顔絵作者を他の似顔絵作者（例えば、似顔絵作者乙等）に変更する指示が入力されたか否かを判定する（ステップＳ８）。
【００５５】
ここで、他の似顔絵作者に変更する指示が入力されたと判定されると（ステップＳ８；ＹＥＳ）、第２部分特定部９ｅは、目、鼻、口、眉、顔輪郭、髪型等の顔の主要な構成部の中で、何れか一の構成部（例えば、鼻等）が変更対象として指定されているか否かを判定する（ステップＳ１９）。
ステップＳ１９にて、何れか一の構成部が変更対象として指定されていると判定されると（ステップＳ１９；ＹＥＳ）、第２部分特定部９ｅは、指定されている構成部に対応する第１部分画像の生成の際に入力されたキーワード（例えば、「高い」等）を取得して（ステップＳ２０）、記憶部２０８に記憶されている他の似顔絵作者（例えば、似顔絵作者乙等）に対応する複数の第２部分画像の中で、キーワードと関連する特徴情報と対応付けられている第２部分画像を所定数特定する（ステップＳ２１）。
【００５６】
次に、第２部分特定部９ｅは、重み付けテーブル８ｂを参照して、特定された所定数の第２部分画像の各々について、優先度の重み付けを行う（ステップＳ２２）。具体的には、第２部分特定部９ｅは、例えば、特徴情報が「高い」の場合には、優先度に「0.5」の重み付けを行ったり、第１部分画像の識別情報を参照して、識別情報に規定されているモデル名「モデル＊」と同じモデルの第２部分画像について優先度に「1.2」の重み付け等を行う。
そして、第２部分特定部９ｅは、所定数の第２部分画像の各々について算出された優先度を比較して、最も優先度が高いものを第２似顔絵画像の生成に用いられる第２部分画像として特定し、第２画像生成部９ｄは、第２部分特定部９ｅにより特定された第２部分画像を所定位置に配置する（ステップＳ２３）。
【００５７】
次に、第２部分特定部９ｅは、顔の主要な構成部の中で、次の構成部（例えば、目等）が変更対象として指定されているか否かを判定する（ステップＳ２４）。
ここで、次の構成部が変更対象として指定されていると判定されると（ステップＳ２４；ＹＥＳ）、処理をステップＳ２０に戻し、それ以降の各処理を実行する。すなわち、第２部分特定部９ｅは、指定されている構成部に対応する第１部分画像の生成の際に入力されたキーワードを取得して（ステップＳ２０）、キーワードと関連する特徴情報と対応付けられている第２部分画像を所定数特定する（ステップＳ２１）。そして、第２部分特定部９ｅは、特定された所定数の第２部分画像の各々について、優先度の重み付けを行い（ステップＳ２２）、所定数の第２部分画像の中で最も優先度が高いものを第２似顔絵画像の生成に用いられる第２部分画像として特定し、第２画像生成部９ｄは、第２部分特定部９ｅにより特定された第２部分画像を所定位置に配置する（ステップＳ２３）。
上記の各処理は、ステップＳ２４にて、次の構成部が変更対象として指定されていないと判定（ステップＳ２４；ＮＯ）されるまで、繰り返し実行される。
これにより、複数の顔の主要な構成部の中で、少なくとも一部の構成部について第２部分画像を用いて似顔絵画像が生成されることとなる。以下の説明では、複数の顔の主要な構成部の全てについて第２部分画像が用いられたものとする。
【００５８】
ステップＳ２４にて、次の構成部が変更対象として指定されていないと判定されると（ステップＳ２４；ＮＯ）、表示制御部６ａは、第２部分画像を用いて生成された他の似顔絵作者特有の表現がなされた第２似顔絵画像の画像データを取得して、表示パネル６ｂの表示領域に表示させる（ステップＳ２５）。
【００５９】
その後、似顔絵処理部２０９は、ユーザによる操作入力部７の所定操作に基づいて中央制御部１から当該似顔絵画像生成処理を終了する指示が入力されたか否かを判定する（ステップＳ２６）。
また、ステップＳ８にて、他の似顔絵作者に変更する指示が入力されていないと判定された場合にも（ステップＳ８；ＮＯ）、似顔絵処理部２０９は、処理をステップＳ２６に移行し、当該似顔絵画像生成処理を終了する指示が入力されたか否かを判定する。同様に、ステップＳ１９にて、何れか一の構成部が変更対象として指定されていないと判定された場合にも（ステップＳ１９；ＮＯ）、似顔絵処理部２０９は、処理をステップＳ２６に移行し、当該似顔絵画像生成処理を終了する指示が入力されたか否かを判定する。
ステップＳ２６にて、似顔絵画像生成処理を終了する指示が入力されていないと判定されると（ステップＳ２６；ＮＯ）、似顔絵処理部２０９は、処理をステップＳ８に戻し、それ以降の各処理を実行する。すなわち、ステップＳ８にて、似顔絵作者をさらに他の似顔絵作者に変更する指示が入力されると（ステップＳ８；ＹＥＳ）、上記した処理と同様の処理が行なわれ、変更された新たな似顔絵作者特有の表現がなされた似顔絵画像が生成される。
【００６０】
一方、ステップＳ２６にて、似顔絵画像生成処理を終了する指示が入力されたと判定されると（ステップＳ２６；ＹＥＳ）、似顔絵処理部２０９は、当該似顔絵画像生成処理を終了する。
【００６１】
以上のように、実施形態２の撮像装置２００によれば、上記実施形態１と同様に、一の似顔絵作者特有の表現がなされた第１似顔絵画像を生成後、他の似顔絵作者特有の表現がなされた似顔絵画像を生成したい場合に、第１似顔絵画像の生成に用いられた第１部分画像それぞれと同一の特徴を有した第２部分画像を顔の主要な構成部毎に特定することで、特定された第２部分画像を用いて他の似顔絵作者特有の表現がなされた第２似顔絵画像を容易に生成することができる。
さらに、第２の特有の表現が施されてなる複数の第２部分画像がその特徴情報と対応付けて記憶されているので、複数の第２部分画像の中で、ユーザによる操作入力部７の所定操作に基づいて入力されたキーワードと関連する特徴情報と対応付けられている第２部分画像を特定することができ、似顔絵画像を生成する際のユーザの意図を考慮してユーザ所望の似顔絵画像を生成することができる。特に、キーワードと関連する特徴情報と対応付けられている第２部分画像を所定数特定し、特定された所定数の第２部分画像について特徴情報に重み付けされた優先度を基準として、第２似顔絵画像の生成に用いられる第２部分画像を特定することができる。これにより、第２部分画像自体のより重要な特徴、すなわち、視認者がより強い印象を受ける特徴をも考慮して、第２部分画像を特定することができ、特定された第２部分画像を用いることで、ユーザの意図や第２部分画像自体の特徴等を考慮した似顔絵画像を容易に生成することができる。
【００６２】
なお、上記実施形態２にあっては、所定数の第２部分画像について特徴情報に重み付けされた優先度を基準として、第２似顔絵画像の生成に用いられる第２部分画像を特定するようにしたが、一例であってこれに限られるものではなく、必ずしも特徴情報の優先度に重み付けされている必要はない。
【００６３】
また、本発明は、上記実施形態１、２に限定されることなく、本発明の趣旨を逸脱しない範囲において、種々の改良並びに設計の変更を行っても良い。
例えば、特有の表現として、似顔絵作者特有の表現を例示したが、一例であってこれに限られるものではなく、タッチや形状等とにより作風や視認者の印象を異ならせるようにしたものであれば適宜任意に変更可能である。すなわち、例えば、同一の似顔絵作者により描き分けられる複数の特有の表現であっても良いし、また、部分画像８ａを画像処理用のアプリケーションにより自動的に作成する場合において、複数のアプリケーション毎に規定されている特有の表現や一のアプリケーションに規定されている複数の特有の表現であっても良い。
【００６４】
さらに、撮像装置１００、２００の構成は、上記実施形態に例示したものは一例であり、これに限られるものではない。また、画像生成装置として、撮像装置１００、２００を例示したが、これに限られるものではなく、本発明に係る似顔絵画像生成処理を実行可能なものであれば如何なる構成であっても良い。
【００６５】
加えて、上記実施形態１、２にあっては、第１画像生成手段、指定手段、特定手段、第２画像生成手段としての機能を、中央制御部１のＣＰＵの制御下にて、第１画像生成部９ａ、作者指定部９ｂ、第１部分特定部９ｃ（第２部分特定部９ｅ）、第２画像生成部９ｄが駆動することにより実現される構成としたが、これに限られるものではなく、中央制御部１のＣＰＵによって所定のプログラム等が実行されることにより実現される構成としても良い。
すなわち、プログラムを記憶するプログラムメモリ（図示略）に、第１画像生成処理ルーチン、指定処理ルーチン、特定処理ルーチン、第２画像生成処理ルーチンを含むプログラムを記憶しておく。そして、第１画像生成処理ルーチンにより中央制御部１のＣＰＵを、顔の主要な構成部に係り、第１の特有の表現が施されてなる複数の第１部分画像を用いて、第１似顔絵画像を生成する手段として機能させるようにしても良い。また、指定処理ルーチンにより中央制御部１のＣＰＵを、第１似顔絵画像の生成後に、第１の特有の表現とは異なる第２の特有の表現を指定する手段として機能させるようにしても良い。また、特定処理ルーチンにより中央制御部１のＣＰＵを、指定された第２の特有の表現が施されてなる複数の第２部分画像の中から、第１似顔絵画像の生成に用いられた複数の第１部分画像それぞれと同一の特徴を有した第２部分画像を顔の主要な構成部毎に特定する手段として機能させるようにしても良い。また、第２画像生成処理ルーチンにより中央制御部１のＣＰＵを、特定された第２部分画像を用いて、第２の特有の表現がなされた第２似顔絵画像を生成する手段として機能させるようにしても良い。
【００６６】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００６７】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
顔の主要な構成部に係り、第１の特有の表現が施されてなる複数の第１部分画像を用いて、第１似顔絵画像を生成する第１画像生成手段と、
前記第１似顔絵画像の生成後に、前記第１の特有の表現とは異なる第２の特有の表現を指定する指定手段と、
前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段と、
前記特定手段により特定された第２部分画像を用いて、前記第２の特有の表現がなされた第２似顔絵画像を生成する第２画像生成手段と、
を備えたことを特徴とする画像生成装置。
＜請求項２＞
前記特定手段は、
前記複数の第２部分画像の中で、前記第１似顔絵画像の生成に用いられた第１部分画像と同じモデルの顔の主要な構成部が描写されてなる第２部分画像を特定することを特徴とする請求項１に記載の画像生成装置。
＜請求項３＞
前記第１部分画像及び前記第２部分画像の各々は、モデルとなった人物を識別する識別情報が対応付けられてなり、
前記特定手段は、前記識別情報に基づいて前記第２部分画像を特定することを特徴とする請求項１又は２に記載の画像生成装置。
＜請求項４＞
前記第１の特有の表現が施されてなる複数の第１部分画像をその特徴情報と対応付けて記憶する第１記憶手段と、
前記第１記憶手段に記憶されている前記複数の第１部分画像の中から、前記第１似顔絵画像の生成に用いられる第１部分画像を選別するためのキーワードを入力する入力手段と、を更に備え、
前記第１画像生成手段は、
前記複数の第１部分画像の中から、前記入力手段により入力されたキーワードと関連する前記特徴情報に基づいて第１部分画像を選別し、選別された第１部分画像を用いて前記第１似顔絵画像を生成することを特徴とする請求項１〜３の何れか一項に記載の画像生成装置。
＜請求項５＞
前記第２の特有の表現が施されてなる複数の第２部分画像をその特徴情報と対応付けて記憶する第２記憶手段を更に備え、
前記特定手段は、
前記複数の第２部分画像の中で、前記入力手段により入力されたキーワードと関連する前記特徴情報と対応付けられている第２部分画像を特定することを特徴とする請求項４に記載の画像生成装置。
＜請求項６＞
前記第２部分画像と対応付けられている前記特徴情報は、その内容に応じて優先度が重み付けされてなり、
前記特定手段は、
前記複数の第２部分画像の中で、前記入力手段により入力されたキーワードと関連する前記特徴情報と対応付けられている第２部分画像を所定数特定し、特定された所定数の第２部分画像について前記特徴情報に重み付けされた優先度を基準として、前記第２似顔絵画像の生成に用いられる第２部分画像を特定することを特徴とする請求項５に記載の画像生成装置。
＜請求項７＞
前記第１の特有の表現は、第１の似顔絵作者特有の表現であり、
前記第２の特有の表現は、第２の似顔絵作者特有の表現であることを特徴とする請求項１〜６の何れか一項に記載の画像生成装置。
＜請求項８＞
画像生成装置を用いた画像生成方法であって、
顔の主要な構成部に係り、第１の特有の表現が施されてなる複数の第１部分画像を用いて、第１似顔絵画像を生成するステップと、
前記第１似顔絵画像の生成後に、前記第１の特有の表現とは異なる第２の特有の表現を指定するステップと、
指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定するステップと、
特定された第２部分画像を用いて、前記第２の特有の表現がなされた第２似顔絵画像を生成するステップと、
を含むことを特徴とする画像生成方法。
＜請求項９＞
画像生成装置のコンピュータを、
顔の主要な構成部に係り、第１の特有の表現が施されてなる複数の第１部分画像を用いて、第１似顔絵画像を生成する第１画像生成手段、
前記第１似顔絵画像の生成後に、前記第１の特有の表現とは異なる第２の特有の表現を指定する指定手段、
前記指定手段により指定された前記第２の特有の表現が施されてなる複数の第２部分画像の中から、前記第１似顔絵画像の生成に用いられた複数の第１部分画像それぞれと同一の特徴を有した第２部分画像を顔の主要な構成部毎に特定する特定手段、
前記特定手段により特定された第２部分画像を用いて、前記第２の特有の表現がなされた第２似顔絵画像を生成する第２画像生成手段、
として機能させることを特徴とするプログラム。
【符号の説明】
【００６８】
１００、２００  撮像装置
１      中央制御部
７      操作入力部
８、２０８  記憶部
８ａ    部分画像
９、２０９  似顔絵処理部
９ａ    第１画像生成部
９ｂ    作者指定部
９ｃ    第１部分特定部
９ｄ    第２画像生成部
９ｅ    第２部分特定部
【図１】
0006476811.tif 000002
【図２】
0006476811.tif 000003
【図３】
0006476811.tif 000004
【図４】
0006476811.tif 000005
【図５】
0006476811.tif 000006
【図６】
0006476811.tif 000007
【図７】
0006476811.tif 000008